(57)【要約】【課題】石油ストーブやファンヒーター等の暖房器具の燃料として使用する燃油の供給が、極めて容易に行えるようにした燃油供給装置及び燃油供給方法を提供するものである。【解決手段】暖房器具に入出自在に収納されるカートリッジ式給油タンク内に、燃油が収容密閉された燃料缶を装着可能とし、装着した状態で燃油の供給が行えるようにしたので、各暖房器具メーカーで燃料缶が装着出来るカートリッジ式給油タンクを用意すれば、使用者がどこのメーカーの暖房器具を使用していても、燃料缶を給油タンクに装着することで、給油の手間を省いて暖房が行われるものであって、極めて使用勝手が良いものであり、又この燃料缶は燃油が充填された状態で、コンビニ等で簡単に購入して使用出来るので、複数本購入して置いて空になったら交換しながら使用し、空になってものは廃棄すれば良いので、アパートやマンションに住む人或いは老人には好適である。【選択図】  図２
2006003033.tif 000002
【特許請求の範囲】
【請求項１】
暖房器具に入出自在に収納されるカートリッジ式給油タンク内に、燃油が収容密閉された燃料缶を装着可能とし、装着した状態で燃油の供給が行えるようにした事を特徴とする燃油供給装置及び燃油供給方法。
【請求項２】
前記燃料缶は、予め各暖房器具メーカーの容量、形状が相違するカートリッジ式給油タンクでも装着されるように、その容量及び形状が規格されコンビニ等の小売店で容易に購入可能とした事を特徴とする請求項１記載の燃油供給装置及び燃油供給方法。
【発明の詳細な説明】
【技術分野】
【０００１】
この発明は、石油ストーブやファンヒーター等の暖房器具の燃料として使用する燃油の供給が、極めて容易に行えるようにした燃油供給装置及び燃油供給方法に関するものである。
【背景技術】
【０００２】
従来よりこの種のものに於いては、給油済みの複数のカートリッジ式給油タンクを用意して置き、燃油がなくなる度に随時給油タンクを入れ替えることで、給油の手間を大幅に省くようにしたものであった。
【特許文献１】特開平８−２９５３３５号公報
【発明の開示】
【発明が解決しようとする課題】
【０００３】
ところでこの従来のものでは、暖房器具のメーカーによって、カートリッジ式給油タンクの容量や形状はまちまちであり、全メーカーのカートリッジ式給油タンクを揃えることは不可能であり、実現性に欠けるものであった。
更にマンションやアパートに住む人等では、石油暖房器具は殆ど使用されず、暖房器具はヒートポンプエアコンで、補助として電気コタツや電気ストーブが使用されており、コストより利便性が重視されるもので、石油の暖房器具は給油の手間が問題であり、ポリタンクで燃油を貯蔵して置くにしても、このポリタンクに給油するにはカソリンスタンドまで出かけて給油しなければならず、これが大きな問題点であり、独居老人でも同じことが問題であった。
【課題を解決するための手段】
【０００４】
この発明はこの点に着目し上記課題を解決する為、特にその構成を請求項１では、暖房器具に入出自在に収納されるカートリッジ式給油タンク内に、燃油が収容密閉された燃料缶を装着可能とし、装着した状態で燃油の供給が行えるようにしたものである。
【０００５】
又請求項２では、前記燃料缶は、予め各暖房器具メーカーの容量、形状が相違するカートリッジ式給油タンクでも装着されるように、その容量及び形状が規格されコンビニ等の小売店で容易に購入可能としたものである。
【発明の効果】
【０００６】
この発明によれば、各暖房器具メーカーで燃料缶が装着出来るカートリッジ式給油タンクを用意すれば、使用者がどこのメーカーの暖房器具を使用していても、燃料缶を給油タンクに装着することで、給油の手間を省いて暖房が行われるものであって、極めて使用勝手が良いものであり、又この燃料缶は燃油が充填された状態で、コンビニ等で簡単に購入して使用出来るので、複数本購入して置いて空になったら交換しながら使用し、空になってものは廃棄すれば良いので、アパートやマンションに住む人或いは老人には好適で、安価な燃油を使用しての暖房が手軽で安全に行え極めて便利である。
【発明を実施するための最良の形態】
【０００７】
次にこの発明の一実施形態を図面に基づいて説明する。
１は暖房器具としてのファンヒーターで、正面下部の吹出口２から温風を放出して室内の暖房を行うもので、内方一側方寄りには開閉蓋３を有したタンク収納室（図示せず）を備えている。
【０００８】
４は前記タンク収納室に収納されるカートリッジ式給油タンクで、上部には蓋体５と取っ手６とが設けられ、内方には複数の支持片７によって円筒状の装着部８が形成されている。
【０００９】
９はカートリッジ式給油タンク４内の装着部８に装着される円筒状の燃料缶で、中には燃油が充填されアルミ缶や鋼製缶、合成樹脂缶で形成されており、給油タンク４のタンク収納室へのセットにより、底部の突出部１０が該タンク収納室下部の油受け皿１１内に挿入されることで、油受け皿１１内の押し上げピン１２によって開口して燃油を供給するものである。
【００１０】
前記燃料缶９は、予め燃油が充填された状態で、コンビニ等の小売店で販売され、誰でもが容易に購入出来る状況とされているものである。
【００１１】
又カートリッジ式給油タンク４は、燃料缶９専用に各暖房器具メーカーが製造し、別売或いは燃料缶９使用の器具といっしょに販売されるものである。
【００１２】
次にこの一実施形態の作動について説明する。
今コンビニ等の小売店から購入、或いは買いだめしておいた燃料缶９を、カートリッジ式給油タンク４の装着部８に装着し、このカートリッジ式給油タンク４を暖房器具１のタンク収納室に挿入することで、図３に示すように、燃料缶９の突出部１０が油受け皿１１内の押し上げピン１２で開口され、燃油の供給が行われるものである。
【００１３】
この燃油の供給は、落差式で油受け皿１１の油面高さは燃料缶９の突出部１０の高さで一定しており、燃油が使用されて油面がさがるとその隙間から燃料缶９内に空気が流入し、この空気分の燃油が流出して油面が上昇することで、突出部１０の開口が閉塞されることで油面が一定に維持されるものである。
【００１４】
そしてこの燃油の供給を受けて暖房器具１の燃焼部（図示せず）は、燃焼しこの燃焼熱を温風として室内の暖房を行うものであり、燃料缶９の内の燃油がなくなれば、この空になった燃料缶９をカートリッジ式給油タンク４から抜き取り廃棄した後、新たな燃料缶９を装着しなおせば良く、従来のようにカートリッジ式給油タンク４に給油すると言う煩わしさはなく、手も汚す心配がなく、ワンタッチで燃油の補給が行えるものである。
【００１５】
又燃料缶９がコンビニ等の小売店で購入出来るので、ポリタンクを抱えてガソリンスタンドへ給油に行かなくても良いので、マンションやアパート住まいの人や独居老人にも安心して燃油を燃料とする暖房器具１を使用してもらえるものであり、暖房器具１の使用範囲が広がるものである。
【００１６】
尚、この一実施形態では、カートリッジ式給油タンク４に燃料缶９を装着するようにしたが、暖房器具１のタンク収納室に直接燃料缶９を装着するように、暖房器具１自体を改良しても良く、同様の効果を得られるものである。
【図面の簡単な説明】
【００１７】
【図１】この発明の一実施形態を示す暖房器具の斜視図。
【図２】同要部説明図。
【図３】同要部断面図。
【符号の説明】
【００１８】
１  暖房器具
４  カートリッジ式給油タンク
９  燃料缶
【図１】
2006003033.tif 000003
【図２】
2006003033.tif 000004
【図３】
2006003033.tif 000005